(57)【要約】【課題】明滅型の照明下において、パネルの表面における反射光を低減して黒輝度の上昇を抑えるとともに表示画像の明るさの低下を最小限に抑えて、画像表示品質を向上させる。【解決手段】複数の放電セルを有し、画像表示領域に画像を表示するプラズマディスプレイパネル１０と、画像表示領域を覆うようにプラズマディスプレイパネル１０の表示面側に装着した光シャッターである液晶パネル４０と、光シャッターの透過率を制御する光シャッター制御部であるＬＣＤ制御回路５７と、照明から発せられる照明光の明滅周期を検出する照明光明滅検出部である明滅検出回路５６とを備え、光シャッター制御部は、照明光明滅検出部からの出力にもとづき、照明光の明滅に応じて、光シャッターの透過率を制御するように構成したことを特徴とする。【選択図】図４
2009122426.tif 000002
【特許請求の範囲】
【請求項１】
複数の放電セルを有し、画像表示領域に画像を表示するプラズマディスプレイパネルと、
前記画像表示領域を覆うように前記プラズマディスプレイパネルの表示面側に装着した光シャッターと、
前記光シャッターの透過率を制御する光シャッター制御部と、
照明から発せられる照明光の明滅周期を検出する照明光明滅検出部とを備え、
前記光シャッター制御部は、前記照明光明滅検出部からの出力にもとづき、照明光の明滅に応じて、前記光シャッターの透過率を制御するように構成したことを特徴とするプラズマディスプレイ装置。
【請求項２】
前記光シャッターは強誘電液晶パネルで構成したことを特徴とする請求項１に記載のプラズマディスプレイ装置。
【請求項３】
前記光シャッター制御部は、透過率の制御を、前記光シャッターの全面に対して同時に行うように構成したことを特徴とする請求項１に記載のプラズマディスプレイ装置。
【請求項４】
前記光シャッターは、マトリクス状に配置され透過率の制御が個別に可能な複数のセルを有し、前記放電セルと前記セルとがそれぞれ対向するように前記光シャッターを装着して構成するとともに、
前記光シャッター制御部は、前記放電セルのそれぞれの発光輝度にもとづき、前記セル毎に透過率を制御するように構成したことを特徴とする請求項１に記載のプラズマディスプレイ装置。
【発明の詳細な説明】
【技術分野】
【０００１】
本発明は、大画面で、薄型、軽量の画像表示装置として知られているプラズマディスプレイ装置に関する。
【背景技術】
【０００２】
プラズマディスプレイパネル（以下、「パネル」と略記する）として代表的な交流面放電型パネルを用いたプラズマディスプレイ装置は、視野角が広く大画面化が容易であり、かつ自発光型であり画像表示品質が高いこと等から、大画面画像表示装置の主流となりつつある。
【０００３】
パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。そして、パネルは、画像表示を行う画像表示領域とそれ以外の非表示領域とに分けられ、各電極はそれぞれの電極を前面板または背面板の画像表示領域外、すなわち非表示領域まで引き出して形成した引き出し部を備え、その引き出し部に駆動電圧を印加することで各電極を駆動する。
【０００４】
このような構成のパネルを用いたプラズマディスプレイ装置は、表示電極対に交互に維持パルスを印加して各放電セル内でガス放電を発生させ、このガス放電により発生した紫外線で赤色、緑色および青色の各色の蛍光体を励起発光させてカラー画像表示を行っている。
【０００５】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００６】
各サブフィールドは、初期化期間、書込み期間および維持期間を有し、初期化期間では初期化放電を発生し、続く書込み動作に必要な壁電荷を各電極上に形成する。書込み期間では、表示を行うべき放電セルに選択的に書込みパルス電圧を印加して書込み放電を発生させ壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００７】
このように構成されたプラズマディスプレイ装置は、一般的には家屋内に設置されるとともに蛍光灯等の照明下で表示画像の観賞がなされる。
【０００８】
このとき、パネル表面においては、照明から発せられる光の反射（以下、「反射光」と記す）が発生するが、この反射光が多いと、表示画像における比較的暗い領域（例えば影等）の輝度が反射光によって上昇してしまい、コントラストが低下した画像として認識されてしまうという問題があった。
【０００９】
そこで、パネルにおける反射光を低減するために、所定の波長領域（プラズマディスプレイ装置の周囲光として想定される外光の波長領域）の透過率を低減させる波長選択フィルタを、反射光低減手段としてパネルの表示面側に装着する技術が開示されている。この技術では、パネルの内部に入射する外光を抑制することで反射光を低減し、放電セルの非発光領域の輝度、すなわち黒の輝度（以下、「黒輝度」と記す）が上昇するのを防止する（例えば、特許文献１参照）。
【００１０】
また、直線偏光フィルタと１／４位相差板とを組み合わせた円偏光フィルタを、反射光低減手段としてパネルの表示面側に装着するとともに、蛍光体層の下地となる絶縁体層の表示面側に反射層を設ける技術が開示されている。この技術では、パネルに入射した外光は、反射層によって反射するときに偏光状態が保持された正反射となる。そして、この反射光を直線偏光フィルタによって遮断することで、黒輝度の上昇を防止する（例えば、特許文献２参照）。
【特許文献１】特開２００３−１５７０１７号公報
【特許文献２】特開２００３−２９７２５５号公報
【発明の開示】
【発明が解決しようとする課題】
【００１１】
しかしながら、特許文献１に記載された技術では、波長を選択的にフィルタリングするため外光のパネル内部への入射を十分に低減することができず、黒輝度の上昇を防止する効果が十分ではないといった問題があった。また、パネルに装着されたフィルタにより、放電セルにおける発光輝度も低下してしまうため、表示画像の明るさが損なわれてしまうといった問題があった。
【００１２】
また、特許文献２に記載された技術では、円偏光フィルタを介して入射した外光は、パネル内部の反射層のみならず、隔壁や蛍光体層でも反射するため、これらの反射光を円偏光フィルタで十分に遮断することができず、黒輝度の上昇を防止する効果が十分ではないといった問題があった。
【００１３】
本発明は、これらの問題に鑑みなされたものであり、特に明滅型の照明下において、パネルの表面における反射光を低減して黒輝度の上昇を抑えるとともに表示画像の明るさの低下を最小限に抑え、画像表示品質を向上させることができるプラズマディスプレイ装置を提供することを目的とする。
【課題を解決するための手段】
【００１４】
この課題を解決するために、本発明のプラズマディスプレイ装置は、複数の放電セルを有し、画像表示領域に画像を表示するパネルと、画像表示領域を覆うようにパネルの表示面側に装着した光シャッターと、光シャッターの透過率を制御する光シャッター制御部と、照明から発せられる照明光の明滅周期を検出する照明光明滅検出部とを備え、光シャッター制御部は、照明光明滅検出部からの出力にもとづき、照明光の明滅に応じて、光シャッターの透過率を制御するように構成したことを特徴とする。
【００１５】
この構成により、明滅型の照明下において、パネルの表面における反射光を低減して黒輝度の上昇を抑えるとともに表示画像の明るさの低下を最小限に抑え、黒の引き締まった画像表示品質のよいプラズマディスプレイ装置を実現することが可能となる。
【００１６】
また、本発明のプラズマディスプレイ装置は、光シャッターを強誘電液晶パネルで構成したことを特徴とする。これにより、例えば、商用電源の２倍の周波数程度の速度で明滅を繰り返す照明下であっても、その明滅周期に追従して透過率の制御を行うことが可能となる。
【００１７】
また、本発明のプラズマディスプレイ装置において、光シャッター制御部は、透過率の制御を、光シャッターの全面に対して同時に行うように構成してもよい。
【００１８】
また、本発明のプラズマディスプレイ装置においては、光シャッターは、マトリクス状に配置され透過率の制御が個別に可能な複数のセルを有し、放電セルと光シャッターのセルとがそれぞれ対向するように光シャッターを装着して構成するとともに、光シャッター制御部は、放電セルのそれぞれの発光輝度にもとづき、セル毎に透過率を制御するように構成してもかまわない。
【発明の効果】
【００１９】
本発明によれば、明滅型の照明下において、パネルの表面における反射光を低減して黒輝度の上昇を抑えるとともに表示画像の明るさの低下を最小限に抑えて、画像表示品質を向上させることが可能となる。
【発明を実施するための最良の形態】
【００２０】
以下、本発明の実施の形態におけるプラズマディスプレイ装置について、図面を用いて説明する。
【００２１】
（実施の形態）
図１は、本発明の一実施の形態におけるパネル１０の構造を示す断面図である。前面板２０はガラス製の前面基板２１を有する。前面基板２１上には、走査電極２２と維持電極２３（図示せず）とからなる表示電極対を複数形成している。また、走査電極２２は、透明電極２２ａの上に金属母線２２ｂを積層して形成し、維持電極２３も同様に透明電極の上に金属母線を積層して形成している。そして走査電極２２と維持電極２３とを覆うように誘電体層２５を形成し、その誘電体層２５上に保護層２６を形成している。
【００２２】
背面板３０はガラス製の背面基板３１を有する。背面基板３１上にはデータ電極３２を複数形成し、データ電極３２を覆うように誘電体層３３を形成し、さらにその上に井桁状の隔壁３４を形成している。そして、隔壁３４の側面および誘電体層３３上には赤色（Ｒ）、緑色（Ｇ）および青色（Ｂ）の各色に発光する蛍光体層３５を設けている。
【００２３】
これら前面板２０と背面板３０とを、微小な放電空間を挟んで表示電極対とデータ電極３２とが交差するように対向配置し、その外周部をガラスフリット等の封着材によって封着している。そして放電空間には、例えばネオンとキセノンの混合ガスを放電ガスとして封入している。放電空間は隔壁３４によって複数の区画に仕切られており、表示電極対とデータ電極３２とが交差する部分に放電セルを形成している。そしてこれらの放電セルを選択的に放電、発光させることにより画像を表示する。また、パネル１０は、画像表示を行う画像表示領域とそれ以外の非表示領域とに分けられる。
【００２４】
なお、パネル１０の構造は上述したものに限られるわけではなく、例えばストライプ状の隔壁を備えたものであってもよい。
【００２５】
また、パネル１０は、前面基板２１の画像表示面側に、光シャッターとして用いる液晶パネル（以下、「ＬＣＤ」と記す）４０を装着している。このＬＣＤ４０は、一般に用いられている液晶パネルと同様の構成である。すなわち、ＬＣＤ４０は、液晶層４１に接して両面に分子配向層４２、４６を設けている。そして、分子配向層４２の外面に電極層４３を、その外面にガラス基板４４を設け、最外面に偏光フィルタ４５を設けている。同様に、分子配向層４６の外面に電極層４７を、その外面にガラス基板４８を設け、最外面に偏光フィルタ４９を設けている。なお、ＬＣＤ４０は、パネル１０の画像表示領域と同程度か、それよりもやや大きい面積を有するものを用い、画像表示領域を覆うように前面基板２１に装着するものとする。またＬＣＤ４０は、その表面における光反射率が前面基板２１の表面における光反射率よりも小さいものを用いるものとする。
【００２６】
図２は、本発明の一実施の形態におけるパネル１０の電極配列図である。パネル１０には、行方向に延長されたｎ本の走査電極ＳＣ１〜ＳＣｎ（図１の走査電極２２）およびｎ本の維持電極ＳＵ１〜ＳＵｎ（維持電極２３）を配列し、列方向に延長されたｍ本のデータ電極Ｄ１〜Ｄｍ（図１のデータ電極３２）を配列している。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電空間内に形成される放電セルの数量はｍ×ｎ個となる。
【００２７】
図３は、本発明の一実施の形態におけるプラズマディスプレイ装置１の構成の一例を示す回路ブロック図である。図３において、プラズマディスプレイ装置１は、前述したパネル１０と、画像信号処理回路５１と、データ電極駆動回路５２と、走査電極駆動回路５３と、維持電極駆動回路５４と、タイミング発生回路５５と、照明光明滅検出部である明滅検出回路５６と、光シャッター制御部であるＬＣＤ制御回路５７と、各回路ブロックに必要な電源を供給する電源回路（図示せず）とを備えている。
【００２８】
画像信号処理回路５１は、入力された画像信号ｓｉｇをサブフィールド毎の発光・非発光を示す画像データに変換する。タイミング発生回路５５は水平同期信号Ｈ、垂直同期信号Ｖをもとにして各回路ブロックの動作を制御する各種のタイミング信号を発生し、それぞれの回路ブロックへ供給する。走査電極駆動回路５３は、タイミング信号にもとづき、維持期間においては維持パルスを発生させ、初期化期間においては傾斜波形電圧を発生させ、書込み期間においては走査パルスを発生させて各走査電極ＳＣ１〜ＳＣｎをそれぞれ駆動する。維持電極駆動回路５４は、タイミング信号にもとづき、維持期間において維持パルスを発生させて維持電極ＳＵ１〜ＳＵｎを駆動する。データ電極駆動回路５２は、タイミング信号にもとづき、書込み期間において書込みパルスを発生させて各データ電極Ｄ１〜Ｄｍを駆動する。
【００２９】
明滅検出回路５６は、点灯状態と非点灯状態とを繰り返す明滅型の照明から発せられる照明光の明滅周期およびその明るさを検出する。このような明滅型の照明としては、例えば蛍光灯がある。なお、明滅検出回路５６で検出する明滅周期は、ＬＣＤ４０の性能（主に動作速度）に合わせてその上限を設定すればよいが、ここでは、商用電源の周波数の２倍の周波数（１００Ｈｚ、もしくは１２０Ｈｚ）程度までを検出するものとする。明滅検出回路５６において、照明光の明滅周期および明るさを検出する手段としては、例えば、一般に知られたフォトダイオードを用いることができるが、ＣＣＤ（Ｃｈａｒｇｅ  Ｃｏｕｐｌｅｄ  Ｄｅｖｉｃｅ）やＣＭＯＳイメージセンサ等、必要な動作速度で光を電気信号に変えることが可能な素子であればよい。そして、ＬＣＤ制御回路５７は、明滅検出回路５６において検出された照明光の明滅周期に応じてＬＣＤ４０の透過率を制御する。なお、本実施の形態において、ＬＣＤ制御回路５７は、ＬＣＤ４０全面の透過率を同時に制御するものとする。したがって、ＬＣＤ４０は、マトリクス状に配置され透過率の制御が個別に可能な複数のセルを有する構成であってもよく、全面を１つのセルとして構成したものであってもよい。
【００３０】
図４は、本発明の一実施の形態におけるプラズマディスプレイ装置１の動作を示した概略図であり、図４（ａ）は照明が非点灯状態のときのプラズマディスプレイ装置１の動作を示し、図４（ｂ）は照明が点灯状態のときのプラズマディスプレイ装置１の動作を示す。本実施の形態においては、図３でも説明したとおり、照明６０から発せられる照明光の明滅周期および明るさを明滅検出回路５６が検出し、ＬＣＤ制御回路５７は、明滅検出回路５６における検出結果に応じてＬＣＤ４０の透過率を制御する。なお、本実施の形態では、照明６０に蛍光灯を用いるものとして説明を行うが、本発明は何ら蛍光灯に限定されるものではなく、明滅型の照明であればどのようなものであってもよい。
【００３１】
そして、照明６０が非点灯状態のときには、図４（ａ）に示すようにＬＣＤ４０の透過率を上げ、照明６０が点灯状態のときには、図４（ｂ）に示すようにＬＣＤ４０の透過率を下げる。
【００３２】
この、照明光の輝度の変化にもとづくＬＣＤ４０の透過率の制御について、さらに詳しく説明する。
【００３３】
図５は、本発明の一実施の形態における明滅検出回路５６およびＬＣＤ制御回路５７の動作を説明するための波形図である。図５（ａ）は、照明６０の発する照明光の輝度の変化を示す波形図であり、縦軸は輝度を、横軸は時間を表す。図５（ｂ）は、明滅検出回路５６における検出結果を示す波形図であり、縦軸は検出結果（ここでは電圧）を、横軸は時間を表す。図５（ｃ）は、ＬＣＤ４０の透過率を示す波形図であり、縦軸は透過率を、横軸は時間を表す。図５（ｄ）は、パネル１０における黒輝度の輝度レベルを示す波形図であり、縦軸は輝度を、横軸は時間を表す。
【００３４】
図５（ａ）に示すように、照明６０は、例えば、商用電源の周波数が６０Ｈｚであれば１２０Ｈｚの周期で明滅を繰り返す。なお、このときの輝度の変化は、矩形波形とはならず、図５（ａ）に示すように正弦波のような波形となる。そして、明滅検出回路５６は、この輝度の変化を検出し、図５（ｂ）に示すように、その検出結果を電気信号（ここでは、電圧）に変換して出力する。
【００３５】
そして、ＬＣＤ制御回路５７は、明滅検出回路５６から出力される検出結果に応じて、ＬＣＤ４０の透過率を制御する。具体的には、図５（ｃ）に示すように、明滅検出回路５６から出力される電圧が高ければＬＣＤ４０の透過率を下げ、この電圧が低ければＬＣＤ４０の透過率を上げるように制御する。
【００３６】
これにより、照明６０から発せられる照明光の輝度が高いときに、ＬＣＤ４０の透過率を下げ、ＬＣＤ４０を通って前面板２０に入射する照明光を低減して、前面基板２１の表面における反射光を低減することができる。逆に照明光の輝度が低いときには、反射光も少なくなるため、ＬＣＤ４０の透過率を上げても何ら問題なく、ＬＣＤ４０の透過率を上げるように制御することで、放電セルの発光による輝度の低下を最小限に抑えることができる。
【００３７】
本発明者が行った黒輝度の測定実験によれば、ＬＣＤ４０を装着しない従来のパネルでは、図５（ｄ）に破線で示すように照明光と同様の輝度変化を持つ反射光により平均して５〜６ｃｄ（カンデラ）の輝度が発生していた。しかし、本実施の形態に示した構成では、図５（ｄ）に実線で示すように、黒輝度を、その約１／３０の０．５ｃｄ（カンデラ）まで低減できることが確認された。
【００３８】
以上述べたように、本実施の形態によれば、明滅型の照明下において、照明光の明滅周期に応じてＬＣＤ４０の透過率を制御することで、パネル１０の表面における反射光を低減して黒輝度の上昇を抑えるとともに表示画像の明るさの低下を最小限に抑えることができ、黒の引き締まった画像表示品質のよいプラズマディスプレイ装置を実現することが可能となる。
【００３９】
なお、商用電源の２倍の周波数程度の速度で透過率の制御ができるＬＣＤとしては、例えば、１ｍｓｅｃ程度の速さでの動作が可能な強誘電液晶パネルがある。しかし、本実施の形態は、何らこのＬＣＤに限定されるものではなく、商用電源の２倍の周波数程度以上の速度で透過率の制御ができるものであれば、本実施の形態における光シャッターとして用いることができる。
【００４０】
なお、照明光の輝度の最大値が低いときには、反射光も少ないと判断できるので、照明光の輝度の最大値が所定のしきい値未満の時にはＬＣＤ４０の透過率を最大にしておくような制御とすることもできる。
【００４１】
なお、照明光の輝度が所定のしきい値以上のときにはＬＣＤ４０の透過率を最小、すなわち光シャッターを閉じた状態とし、照明光の輝度が所定のしきい値未満のときにはＬＣＤ４０の透過率を最大、すなわち光シャッターを開いた状態として、ＬＣＤ４０の透過率を「開」と「閉」との２値的に制御する構成としてもかまわない。
【００４２】
なお、放電セルの発光に反射光が加わることで生じる表示画像の輝度上昇は、表示画像の暗い領域だけで発生するわけではなく、明るい領域においても同様に発生する。人間の視覚特性は、明るい領域の輝度上昇よりも暗い領域の輝度上昇の方により敏感である。そのため、たとえ反射光による輝度上昇が画面全体で一様であったとしても、暗い領域の方がより輝度上昇したように感じられてしまい、その結果、あたかもコントラストが低下したかのように認識されてしまう。しかしながら、上述した本実施の形態では、照明光の明滅に合わせてＬＣＤ４０の透過率を全面同時に低減して黒輝度の上昇を抑えることができるので、黒の引き締まった画像の表示を実現することができる。しかし、本実施の形態は、何らこの構成に限定されるものではなく、例えば、１つの放電セルとＬＣＤ４０の１つのセルとが対応するようにパネル１０を構成し、ＬＣＤ４０のセルのうち非発光の放電セルに対応するセルのみ透過率を下げる構成としてもよい。
【００４３】
図６は、本発明の一実施の形態におけるプラズマディスプレイ装置１の構成の他の一例を示す回路ブロック図である。図６に示した構成が図３に示した構成と異なる点は、パネル１０においては、１つの放電セルの前面にＬＣＤ４０の１つのセルが配置されるようにパネル１０を構成し、ＬＣＤ制御回路５７においては、画像信号処理回路５１から出力される各放電セル毎の輝度情報を受け取り、その輝度情報にもとづき、ＬＣＤ４０の透過率をセル毎に制御するように構成した点である。
【００４４】
この図６に示した構成では、例えば、非発光の放電セルに対応するセルのみ透過率を下げる、といった制御を行うことが可能となる。この構成では、発光させる放電セルの前面にあるセルでは透過率が下がらないので、放電セルの発光輝度が損なわれず、表示画像の明るさの低下を実質的に０にすることが可能となる。また、この構成では、放電セル毎の発光輝度（諧調値）に応じて、それぞれ対応するセルの透過率を制御するといった構成とすることもできる。
【００４５】
あるいは、Ｒ、Ｇ、Ｂの３つの放電セルから構成される１つの画素の前面にＬＣＤ４０の１つのセルが配置されるようにパネル１０を構成してもよい。この構成では、ＬＣＤ制御回路５７は画像信号処理回路５１から出力される各画素毎の輝度情報を受け取り、ＬＣＤ４０のセルのうち非発光の画素に対応するセルのみ透過率を下げる、といった制御が可能となる。
【産業上の利用可能性】
【００４６】
以上説明したように、本発明によれば、明滅型の照明下において、照明光の明滅の周期に応じてパネルの表面に装着した光シャッターの透過率を制御することができるので、パネルの表面における反射光を低減して黒輝度の上昇を抑えるとともに表示画像の明るさの低下を最小限に抑えて、画像表示品質を向上させることができ、プラズマディスプレイ装置の画像表示品質を高める上で有用な発明である。
【図面の簡単な説明】
【００４７】
【図１】本発明の一実施の形態におけるパネルの構造を示す分解斜視図
【図２】同パネルの電極配列図
【図３】本発明の一実施の形態におけるプラズマディスプレイ装置の構成の一例を示す回路ブロック図
【図４】同プラズマディスプレイ装置の動作を示した概略図
【図５】本発明の一実施の形態における明滅検出回路およびＬＣＤ制御回路の動作を説明するための波形図
【図６】本発明の一実施の形態におけるプラズマディスプレイ装置の構成の他の一例を示す回路ブロック図
【符号の説明】
【００４８】
１０    パネル
２０    前面板
２１    前面基板
２２    走査電極
２２ａ    透明電極
２２ｂ    金属母線
２３    維持電極
２５，３３    誘電体層
２６    保護層
３０    背面板
３１    背面基板
３２    データ電極
３４    隔壁
３５    蛍光体層
４０    ＬＣＤ（液晶パネル）
４２，４６    分子配向層
４３，４７    電極層
４４，４８    ガラス基板
４５，４９    偏光フィルタ
５１    画像信号処理回路
５２    データ電極駆動回路
５３    走査電極駆動回路
５４    維持電極駆動回路
５５    タイミング発生回路
５６    明滅検出回路
５７    ＬＣＤ制御回路
【図１】
2009122426.tif 000003
【図２】
2009122426.tif 000004
【図３】
2009122426.tif 000005
【図４】
2009122426.tif 000006
【図５】
2009122426.tif 000007
【図６】
2009122426.tif 000008